(57)【要約】【課題】個々のカラーモニタごとに、照明環境を考慮した白色色度を測定する。【解決手段】完全拡散板からなる基準体Ｒをカラーモニタ１００の画面上に当てる。テストパターン表示手段２１０によって、階調値格納手段２２０内に格納されている三原色ＲＧＢの階調値に基づいて、カラーモニタ１００の画面上にテストパターンＴを表示させる。原色Ｒの階調値は２５５に固定しておくが、原色Ｇ，Ｂの階調値については、階調値変動手段２４０により０〜２５５の間を循環するように所定周期で変動させる。オペレータは、テストパターンＴの色と基準体Ｒの色との比較結果を入力する。比較結果入力手段２３０は、両者が一致した旨の比較結果が入力されると、一致信号を出力する。測定結果出力手段２５０は、一致信号が与えられた時点で、階調値格納手段２２０に格納されていた三原色ＲＧＢの階調値を、基準体Ｒを基準とした白色色度を示す測定結果として出力する。【選択図】        図１
2005020144.tif 000002
【特許請求の範囲】
【請求項１】
三原色ＲＧＢを用いてカラー画像を表示する機能をもったカラーモニタにおける白色の色度を測定するための装置であって、
三原色ＲＧＢの階調値の組み合わせを格納する階調値格納手段と、
この階調値格納手段に格納されている三原色ＲＧＢの階調値に基づいて、前記カラーモニタの画面上にテストパターンを表示させるテストパターン表示手段と、
前記階調値格納手段内に格納されている階調値を予め定められた所定の規則に従って時間とともに変動させる変動操作を行う階調値変動手段と、
前記階調値変動手段による変動操作が行われている状態において、前記カラーモニタの画面上に表示された前記テストパターンを目視するオペレータから、前記テストパターンの近傍に配置された「基準となる白色を示す基準体」の色と前記テストパターンの色とを比較対象とする比較結果を入力する比較結果入力手段と、
前記比較結果入力手段に、前記比較対象が一致した旨の比較結果が入力された時点で、前記階調値格納手段に格納されている三原色ＲＧＢの階調値の組み合わせを、前記カラーモニタの現照明環境下における前記基準体を基準とした白色色度を示す測定結果として出力する測定結果出力手段と、
を備えることを特徴とするカラーモニタの白色色度測定装置。
【請求項２】
請求項１に記載の測定装置において、
階調値変動手段が、オペレータから与えられる変動指示に応じて、所定の原色の階調値に対して所定周期で所定の変動量を加えるもしくは減じる変動操作を開始および停止する機能を有することを特徴とするカラーモニタの白色色度測定装置。
【請求項３】
請求項１または２に記載の測定装置において、
階調値変動手段が、三原色ＲＧＢのうちの原色Ｒについては、常に最大階調値に固定した状態とし、原色Ｇおよび原色Ｂについてのみ階調値の変動操作を行うことを特徴とするカラーモニタの白色色度測定装置。
【請求項４】
請求項１〜３に記載の測定装置において、
階調値変動手段が、変動対象となる特定の原色の階調値に対して所定周期で所定の変動量を加えるもしくは減じる変動操作を行うとともに、比較結果入力手段に入力された比較結果に応じて、変動対象となる特定の原色を切り替える機能を有することを特徴とするカラーモニタの白色色度測定装置。
【請求項５】
請求項１に記載の測定装置において、
階調値変動手段が、原色Ｇの階調値に対して所定周期で所定の変動量を加えるもしくは減じる緑色変動操作と、原色Ｂの階調値に対して所定周期で所定の変動量を加えるもしくは減じる青色変動操作と、を選択的に行う機能を有し、
比較結果入力手段が、前記階調値変動手段が前記緑色変動操作を行っている状態において、基準体の色とテストパターンの色とが最も近似した旨を示す緑色近似信号と、前記階調値変動手段が前記青色変動操作を行っている状態において、基準体の色とテストパターンの色とが最も近似した旨を示す青色近似信号と、をオペレータから入力する機能を有し、前記緑色近似信号と前記青色近似信号との双方が入力されたときに、比較対象が一致した旨の比較結果が入力されたものとして取り扱うことを特徴とするカラーモニタの白色色度測定装置。
【請求項６】
請求項５に記載の測定装置において、
変動操作を行う際に、階調値の変動範囲を設定し、変動量を加算する変動操作により得られる階調値が前記変動範囲の最大階調値を上回ってしまう場合には、前記変動範囲の最小階調値側から計数する循環処理を行い、変動量を減算する変動操作により得られる階調値が前記最小階調値を下回ってしまう場合には、前記最大階調値側から計数する循環処理を行い、前記変動範囲内を階調値が循環変動するようにしたことを特徴とするカラーモニタの白色色度測定装置。
【請求項７】
請求項５に記載の測定装置において、
変動操作を行う際に、階調値の変動範囲を設定し、変動量を加算する変動操作により得られる階調値が前記変動範囲の最大階調値を上回ってしまう場合には、前記最大階調値側から変動量を減算する変動操作に切り換える折り返し処理を行い、変動量を減算する変動操作により得られる階調値が前記変動範囲の最小階調値を下回ってしまう場合には、前記最小階調値側から変動量を加算する変動操作に切り換える折り返し処理を行い、前記変動範囲内を階調値が往復変動するようにしたことを特徴とするカラーモニタの白色色度測定装置。
【請求項８】
請求項６または７に記載の測定装置において、
階調値変動手段が、緑色変動操作を行っている状態において緑色近似信号が入力された時点で青色変動操作を開始し、青色変動操作を行っている状態において青色近似信号が入力された時点で緑色変動操作を開始し、緑色変動操作と青色変動操作とを交互に繰り返し実行する機能を有し、かつ、階調値の変動量および変動範囲を徐々に減少させながら繰り返し実行する機能を有し、
比較結果入力手段が、変動量が所定の規定値に達した後に、緑色近似信号と青色近似信号との双方の入力が完了した場合に、比較対象が一致した旨の比較結果が入力されたものとして取り扱うことを特徴とするカラーモニタの白色色度測定装置。
【請求項９】
請求項１に記載の測定装置において、
階調値変動手段が、原色Ｒの階調値に対して所定周期で所定の変動量を加えるもしくは減じるか、または、原色Ｇの階調値に対して所定周期で所定の変動量を加えるもしくは減じる変動をを行う赤／緑変動操作と、原色Ｒの階調値および原色Ｇの階調値に対して所定周期で所定の同一変動量を同時に加えるもしくは減じるか、または、原色Ｂの階調値に対して所定周期で所定の変動量を加えるもしくは減じる変動を行う黄／青変動操作と、を選択的に行う機能を有し、
比較結果入力手段が、前記階調値変動手段が前記赤／緑変動操作を行っている状態において、基準体の色とテストパターンの色とが最も近似した旨を示す赤／緑近似信号と、前記階調値変動手段が前記黄／青変動操作を行っている状態において、基準体の色とテストパターンの色とが最も近似した旨を示す黄／青近似信号と、をオペレータから入力する機能を有し、前記赤／緑近似信号と前記黄／青近似信号との双方が入力されたときに、比較対象が一致した旨の比較結果が入力されたものとして取り扱うことを特徴とするカラーモニタの白色色度測定装置。
【請求項１０】
請求項９に記載の測定装置において、
赤／緑変動操作を行う際に、原色Ｒの階調値を変動させる第１の操作と、原色Ｇの階調値を変動させる第２の操作と、を交互に繰り返し実行し、
黄／青変動操作を行う際に、原色Ｒおよび原色Ｇの階調値を変動させる第３の操作と、原色Ｂの階調値を変動させる第４の操作と、を交互に繰り返し実行することを特徴とするカラーモニタの白色色度測定装置。
【請求項１１】
請求項９または１０に記載の測定装置において、
変動操作を行う際に、階調値の変動範囲を設定し、変動量を加算する変動操作により得られる階調値が前記変動範囲の最大階調値を上回ってしまう場合には（原色Ｒと原色Ｇを同時に変動させる場合は、原色Ｒか原色Ｇかの少なくともいずれか一方の階調値が最大階調値を上回ってしまう場合には）、前記変動範囲の最小階調値側から計数する循環処理を行い（原色Ｒと原色Ｇを同時に変動させる場合は、原色Ｒの階調値か原色Ｇの階調値か、いずれか小さい方が最小階調値側へと循環し、かつ、両階調値の差が一定となるようにする処理を行い）、変動量を減算する変動操作により得られる階調値が前記最小階調値を下回ってしまう場合には（原色Ｒと原色Ｇを同時に変動させる場合は、原色Ｒか原色Ｇかの少なくともいずれか一方の階調値が最小階調値を下回ってしまう場合には）、前記最大階調値側から計数する循環処理を行い（原色Ｒと原色Ｇを同時に変動させる場合は、原色Ｒの階調値か原色Ｇの階調値か、いずれか大きい方が最大階調値側へと循環し、かつ、両階調値の差が一定となるようにする処理を行い）、前記変動範囲内を階調値が循環変動するようにしたことを特徴とするカラーモニタの白色色度測定装置。
【請求項１２】
請求項９または１０に記載の測定装置において、
変動操作を行う際に、階調値の変動範囲を設定し、変動量を加算する変動操作により得られる階調値が前記変動範囲の最大階調値を上回ってしまう場合には（原色Ｒと原色Ｇを同時に変動させる場合は、原色Ｒか原色Ｇかの少なくともいずれか一方の階調値が最大階調値を上回ってしまう場合には）、変動量を減算する変動操作に切り換える折り返し処理を行い、変動量を減算する変動操作により得られる階調値が前記最小階調値を下回ってしまう場合には（原色Ｒと原色Ｇを同時に変動させる場合は、原色Ｒか原色Ｇかの少なくともいずれか一方の階調値が最小階調値を下回ってしまう場合には）、変動量を加算する変動操作に切り換える折り返し処理を行い、前記変動範囲内を階調値が往復変動するようにしたことを特徴とするカラーモニタの白色色度測定装置。
【請求項１３】
請求項１０〜１２のいずれかに記載の測定装置において、
階調値変動手段が、赤／緑変動操作を行っている状態において赤／緑近似信号が入力された時点で黄／青変動操作を開始し、黄／青変動操作を行っている状態において黄／青近似信号が入力された時点で赤／緑変動操作を開始し、赤／緑変動操作と黄／青変動操作とを交互に繰り返し実行する機能を有し、かつ、階調値の変動量および変動範囲を徐々に減少させながら繰り返し実行する機能を有し、
比較結果入力手段が、変動量が所定の規定値に達した後に、赤／緑近似信号と黄／青近似信号との双方の入力が完了した場合に、比較対象が一致した旨の比較結果が入力されたものとして取り扱うことを特徴とするカラーモニタの白色色度測定装置。
【請求項１４】
請求項１〜１３のいずれかに記載の測定装置としてコンピュータを機能させるためのプログラムもしくは前記プログラムを記録したコンピュータ読み取り可能な記録媒体。
【発明の詳細な説明】
【０００１】
【発明の属する技術分野】
本発明はカラーモニタの白色色度測定装置に関し、特に、三原色ＲＧＢを用いてカラー画像を表示する機能をもったカラーモニタの所定の照明環境下における白色の色度を目視により測定するための装置に関する。
【０００２】
【従来の技術】
一般に、モニタ（ディスプレイ装置）は、個々の製品ごとに表示特性が異なり、パソコンなどに接続して利用する場合、個々の表示特性に応じた補正を行うのが好ましい。このような補正を行うには、予め個々のモニタの表示特性を測定し、その結果を客観的なデータとして用意しておく必要がある。通常、このようなデータは、個々のモニタのプロファイルデータと呼ばれている。パソコンにモニタを接続して利用する場合、当該モニタのプロファイルデータをパソコンに組み込んでおけば、このプロファイルデータに基づく補正が可能になり、個々のモニタに固有の表示特性に左右されない普遍的な表示結果を得ることができるようになる。
【０００３】
三原色ＲＧＢを用いてカラー画像を表示する機能をもったカラーモニタの代表的な表示特性は、三原色の色度、白色の色度、階調再現特性である。ここで、白色の色度は、個々のカラーモニタに白色表示を行わせる場合に必要な三原色ＲＧＢの階調値として求められる。パソコン上で動作しているアプリケーションプログラムが、モニタに白色を表示させたい場合には、この白色の色度として求められている三原色ＲＧＢの階調値を、モニタに対して与える処理を行えばよい。
【０００４】
この白色の色度は、光学的な測定器を用いた物理的な測定により求めることができ、一般的な商用カラーモニタには、出荷時に測定された白色の色度が、モニタプロファイルデータとして添付されることが多い。また、最近では、特別な測定器を用いることなしに、モニタに接続されたパソコンなどに専用のプログラムを組み込むことにより、白色の色度を求める方法も提案されている。たとえば、下記の特許文献１には、オペレータの目視により、白色の色度を測定する方法が開示されている。
【特許文献１】
特開２０００−０２９４４４号公報
【０００５】
【発明が解決しようとする課題】
上述したように、個々のモニタについて、白色色度を示すモニタプロファイルデータを用意しておき、このプロファイルデータに基づく白色表示特性の補正を行えば、個々のモニタに固有の表示特性に左右されない普遍的な白色表示を行うことが可能になる。しかしながら、従来のプロファイルデータは、個々のモニタ自身の物理的な白色表示特性を示すものであって、モニタを特定の照明環境下においたときのオペレータから見た視覚的な特性を示すものではない。このため、同じ照明環境下で使用する複数台のカラーモニタについては、従来の方法で測定された白色色度を示すモニタプロファイルデータを用いて白色表示特性の補正を行えば、ほぼ同一の白色再現性が得られることになるが、異なる照明環境下で使用する複数台のカラーモニタについては、同一の白色再現性を得ることはできない。これは、実用上、大きな問題となる。
【０００６】
たとえば、商用印刷物を作成するＤＴＰ処理では、多数のスタッフがカラーモニタを見ながら、それぞれに分担された作業を進めてゆくのが一般的である。ところが、各スタッフが作業を行う部屋の照明環境は、必ずしも同一にはならない。たとえば、出版会社内部の編集者の作業環境と、外部のデザイン事務所のデザイナーの作業環境とは、通常、異なるのが当然である。具体的には、室内照明が蛍光灯か電球か、室内の壁紙が何色か、太陽光が差し込むか否か、などの条件によって、個々の照明環境は大幅に異なることになる。このような場合、従来の方法で測定された白色色度（モニタごとの純粋な白色色度）による補正を行ったとしても、各スタッフがモニタ上で目視する白色の色合いは、それぞれの照明環境の影響を受けて異なるものになってしまう。非接触で測色できる測定機（たとえば、フォトリサーチ社製の分光放射輝度計／型番ＰＲ−７０５など）を用いれば、照明を考慮した白色の測定は可能であるが、そのような測定機は高価であり、一般的ではない。
【０００７】
そこで本発明は、設置場所の照明環境を考慮した白色色度を容易に測定することが可能なカラーモニタの白色色度測定装置を提供することを目的とする。
【０００８】
【課題を解決するための手段】
（１）    本発明の第１の態様は、三原色ＲＧＢを用いてカラー画像を表示する機能をもったカラーモニタにおける白色の色度を測定するためのカラーモニタの白色色度測定装置において、
三原色ＲＧＢの階調値の組み合わせを格納する階調値格納手段と、
この階調値格納手段に格納されている三原色ＲＧＢの階調値に基づいて、カラーモニタの画面上にテストパターンを表示させるテストパターン表示手段と、
階調値格納手段内に格納されている階調値を予め定められた所定の規則に従って時間とともに変動させる変動操作を行う階調値変動手段と、
階調値変動手段による変動操作が行われている状態において、カラーモニタの画面上に表示されたテストパターンを目視するオペレータから、テストパターンの近傍に配置された「基準となる白色を示す基準体」の色とテストパターンの色とを比較対象とする比較結果を入力する比較結果入力手段と、
比較結果入力手段に、比較対象が一致した旨の比較結果が入力された時点で、階調値格納手段に格納されている三原色ＲＧＢの階調値の組み合わせを、カラーモニタの現照明環境下における基準体を基準とした白色色度を示す測定結果として出力する測定結果出力手段と、
を設けるようにしたものである。
【０００９】
（２）    本発明の第２の態様は、上述の第１の態様に係るカラーモニタの白色色度測定装置において、
階調値変動手段が、オペレータから与えられる変動指示に応じて、所定の原色の階調値に対して所定周期で所定の変動量を加えるもしくは減じる変動操作を開始および停止する機能を有するようにしたものである。
【００１０】
（３）    本発明の第３の態様は、上述の第１または第２の態様に係るカラーモニタの白色色度測定装置において、
階調値変動手段が、三原色ＲＧＢのうちの原色Ｒについては、常に最大階調値に固定した状態とし、原色Ｇおよび原色Ｂについてのみ階調値の変動操作を行うようにしたものである。
【００１１】
（４）    本発明の第４の態様は、上述の第１〜第３の態様に係るカラーモニタの白色色度測定装置において、
階調値変動手段が、変動対象となる特定の原色の階調値に対して所定周期で所定の変動量を加えるもしくは減じる変動操作を行うとともに、比較結果入力手段に入力された比較結果に応じて、変動対象となる特定の原色を切り替える機能を有するようにしたものである。
【００１２】
（５）    本発明の第５の態様は、上述の第１の態様に係るカラーモニタの白色色度測定装置において、
階調値変動手段が、原色Ｇの階調値に対して所定周期で所定の変動量を加えるもしくは減じる緑色変動操作と、原色Ｂの階調値に対して所定周期で所定の変動量を加えるもしくは減じる青色変動操作と、を選択的に行う機能を有し、
比較結果入力手段が、階調値変動手段が緑色変動操作を行っている状態において、基準体の色とテストパターンの色とが最も近似した旨を示す緑色近似信号と、階調値変動手段が青色変動操作を行っている状態において、基準体の色とテストパターンの色とが最も近似した旨を示す青色近似信号と、をオペレータから入力する機能を有し、緑色近似信号と青色近似信号との双方が入力されたときに、比較対象が一致した旨の比較結果が入力されたものとして取り扱うようにしたものである。
【００１３】
（６）    本発明の第６の態様は、上述の第５の態様に係るカラーモニタの白色色度測定装置において、
変動操作を行う際に、階調値の変動範囲を設定し、変動量を加算する変動操作により得られる階調値が変動範囲の最大階調値を上回ってしまう場合には、変動範囲の最小階調値側から計数する循環処理を行い、変動量を減算する変動操作により得られる階調値が最小階調値を下回ってしまう場合には、最大階調値側から計数する循環処理を行い、変動範囲内を階調値が循環変動するようにしたものである。
【００１４】
（７）    本発明の第７の態様は、上述の第５の態様に係るカラーモニタの白色色度測定装置において、
変動操作を行う際に、階調値の変動範囲を設定し、変動量を加算する変動操作により得られる階調値が変動範囲の最大階調値を上回ってしまう場合には、最大階調値側から変動量を減算する変動操作に切り換える折り返し処理を行い、変動量を減算する変動操作により得られる階調値が変動範囲の最小階調値を下回ってしまう場合には、最小階調値側から変動量を加算する変動操作に切り換える折り返し処理を行い、変動範囲内を階調値が往復変動するようにしたものである。
【００１５】
（８）    本発明の第８の態様は、上述の第６または第７の態様に係るカラーモニタの白色色度測定装置において、
階調値変動手段が、緑色変動操作を行っている状態において緑色近似信号が入力された時点で青色変動操作を開始し、青色変動操作を行っている状態において青色近似信号が入力された時点で緑色変動操作を開始し、緑色変動操作と青色変動操作とを交互に繰り返し実行する機能を有し、かつ、階調値の変動量および変動範囲を徐々に減少させながら繰り返し実行する機能を有し、
比較結果入力手段が、変動量が所定の規定値に達した後に、緑色近似信号と青色近似信号との双方の入力が完了した場合に、比較対象が一致した旨の比較結果が入力されたものとして取り扱うようにしたものである。
【００１６】
（９）    本発明の第９の態様は上述の第１の態様に係るカラーモニタの白色色度測定装置において、
階調値変動手段が、原色Ｒの階調値に対して所定周期で所定の変動量を加えるもしくは減じるか、または、原色Ｇの階調値に対して所定周期で所定の変動量を加えるもしくは減じる変動をを行う赤／緑変動操作と、原色Ｒの階調値および原色Ｇの階調値に対して所定周期で所定の同一変動量を同時に加えるもしくは減じるか、または、原色Ｂの階調値に対して所定周期で所定の変動量を加えるもしくは減じる変動を行う黄／青変動操作と、を選択的に行う機能を有し、
比較結果入力手段が、階調値変動手段が赤／緑変動操作を行っている状態において、基準体の色とテストパターンの色とが最も近似した旨を示す赤／緑近似信号と、階調値変動手段が黄／青変動操作を行っている状態において、基準体の色とテストパターンの色とが最も近似した旨を示す黄／青近似信号と、をオペレータから入力する機能を有し、赤／緑近似信号と黄／青近似信号との双方が入力されたときに、比較対象が一致した旨の比較結果が入力されたものとして取り扱うようにしたものである。
【００１７】
（１０）  本発明の第１０の態様は上述の第９の態様に係るカラーモニタの白色色度測定装置において、
赤／緑変動操作を行う際に、原色Ｒの階調値を変動させる第１の操作と、原色Ｇの階調値を変動させる第２の操作と、を交互に繰り返し実行し、
黄／青変動操作を行う際に、原色Ｒおよび原色Ｇの階調値を変動させる第３の操作と、原色Ｂの階調値を変動させる第４の操作と、を交互に繰り返し実行するようにしたものである。
【００１８】
（１１）  本発明の第１１の態様は上述の第９または第１０の態様に係るカラーモニタの白色色度測定装置において、
変動操作を行う際に、階調値の変動範囲を設定し、変動量を加算する変動操作により得られる階調値が変動範囲の最大階調値を上回ってしまう場合には（原色Ｒと原色Ｇを同時に変動させる場合は、原色Ｒか原色Ｇかの少なくともいずれか一方の階調値が最大階調値を上回ってしまう場合には）、変動範囲の最小階調値側から計数する循環処理を行い（原色Ｒと原色Ｇを同時に変動させる場合は、原色Ｒの階調値か原色Ｇの階調値か、いずれか小さい方が最小階調値側へと循環し、かつ、両階調値の差が一定となるようにする処理を行い）、変動量を減算する変動操作により得られる階調値が最小階調値を下回ってしまう場合には（原色Ｒと原色Ｇを同時に変動させる場合は、原色Ｒか原色Ｇかの少なくともいずれか一方の階調値が最小階調値を下回ってしまう場合には）、最大階調値側から計数する循環処理を行い（原色Ｒと原色Ｇを同時に変動させる場合は、原色Ｒの階調値か原色Ｇの階調値か、いずれか大きい方が最大階調値側へと循環し、かつ、両階調値の差が一定となるようにする処理を行い）、変動範囲内を階調値が循環変動するようにしたものである。
【００１９】
（１２）  本発明の第１２の態様は上述の第９または第１０の態様に係るカラーモニタの白色色度測定装置において、
変動操作を行う際に、階調値の変動範囲を設定し、変動量を加算する変動操作により得られる階調値が変動範囲の最大階調値を上回ってしまう場合には（原色Ｒと原色Ｇを同時に変動させる場合は、原色Ｒか原色Ｇかの少なくともいずれか一方の階調値が最大階調値を上回ってしまう場合には）、変動量を減算する変動操作に切り換える折り返し処理を行い、変動量を減算する変動操作により得られる階調値が最小階調値を下回ってしまう場合には（原色Ｒと原色Ｇを同時に変動させる場合は、原色Ｒか原色Ｇかの少なくともいずれか一方の階調値が最小階調値を下回ってしまう場合には）、変動量を加算する変動操作に切り換える折り返し処理を行い、変動範囲内を階調値が往復変動するようにしたものである。
【００２０】
（１３）  本発明の第１３の態様は上述の第９〜第１２の態様に係るカラーモニタの白色色度測定装置において、
階調値変動手段が、赤／緑変動操作を行っている状態において赤／緑近似信号が入力された時点で黄／青変動操作を開始し、黄／青変動操作を行っている状態において黄／青近似信号が入力された時点で赤／緑変動操作を開始し、赤／緑変動操作と黄／青変動操作とを交互に繰り返し実行する機能を有し、かつ、階調値の変動量および変動範囲を徐々に減少させながら繰り返し実行する機能を有し、
比較結果入力手段が、変動量が所定の規定値に達した後に、赤／緑近似信号と黄／青近似信号との双方の入力が完了した場合に、比較対象が一致した旨の比較結果が入力されたものとして取り扱うようにしたものである。
【００２１】
（１４）  本発明の第１４の態様は上述の第１〜第１３の態様に係るカラーモニタの白色色度測定装置を、コンピュータの機能によって実現させるためのプログラムを用意し、このプログラムをコンピュータ読み取り可能な記録媒体に記録して配付できるようにしたものである。
【００２２】
【発明の実施の形態】
以下、本発明を図示する実施形態に基づいて説明する。図１は、本発明の基本的な実施形態を示すブロック図である。ここで、カラーモニタ１００は、三原色ＲＧＢを用いてカラー画像を表示する機能をもったモニタであり、ＣＲＴ式のモニタであっても、液晶式のモニタであってもかまわない。一方、白色色度測定装置２００は、本発明に係る測定装置であり、カラーモニタ１００について、その設置場所の照明環境を考慮した白色色度を測定する機能を有する。
【００２３】
本発明の基本原理は、予め基準となる白色を示す基準体Ｒなるものを用意し、カラーモニタ１００の画面上に表示させたテストパターンＴの色が、この基準体Ｒの色と同じ色に見えるように調整を行う、という点にある。すなわち、図１において、カラーモニタ１００の画面内に描かれたテストパターンＴは、測定装置２００側から与えられる信号に基づいて、カラーモニタ１００の画面上に表示されたパターンであるのに対して、基準体Ｒは、オペレータが手に保持した実在の物体である。オペレータは、テストパターンＴの近傍に基準体Ｒを配置し、両者の色を肉眼で比較しながら、比較結果を測定装置２００に入力する作業を行うことになる。
【００２４】
基準体Ｒとしては、基準となる白色を示す物体であれば、どのようなものでもかまわない。たとえば、一般的なカード状の白紙を基準体Ｒとして用いることができる。ただ、測定時には、複数のモニタに対して、常に同一の基準体Ｒを用いるのが好ましいので、実用上は、ある程度の堅牢性をもった物体を基準体Ｒとして用いるのがよい。たとえば、白いタイルなどは、実用上、十分な堅牢性をもった基準体Ｒとして用いることができる。また、基準体Ｒは、「白」の統一基準を示す指標として利用されるため、できるだけ物理的に白色の物体にするのが好ましい。このような点からは、硫酸バリウムを用いた完全拡散板なども、基準体Ｒとして用いるのに適している。もちろん、基準となる基準モニタを別に用意し、この基準モニタに白色表示させた画面を、基準体Ｒとして用いることも可能である。ただ、基準モニタの白色表示は、経年変化により変動する可能性があり、また、装置自体の大きさや重さを考慮すると、取り扱いに不便であり、実用上はあまり好ましくない。なお、印刷物を作成するためのＤＴＰの作業をモニタ上で行う場合は、印刷物上の白色とモニタ上の白色とを一致させるようにするのが好ましいので、実際の印刷工程で用いる用紙をそのまま基準体Ｒとして用いるようにすればよい。そうすれば、用紙の色が完全な白色からずれているような場合でも、印刷物上の白色（インキが付着していない部分の色）とモニタ上の白色とを合わせることができる。
【００２５】
さて、本発明に係る白色色度測定装置２００は、図示のとおり、テストパターン表示手段２１０、階調値格納手段２２０、比較結果入力手段２３０、階調値変動手段２４０、測定結果出力手段２５０によって構成されている。もっとも、実際には、白色色度測定装置２００は、カラーモニタ１００に接続されたパソコンなどのコンピュータにより実現される装置であり、上記各構成要素は、いずれもこのコンピュータに組み込まれたプログラムによって実現される構成要素である。このプログラムは、コンピュータ読み取り可能な記録媒体に格納して配付することも可能である。
【００２６】
テストパターン表示手段２１０は、測定対象となるカラーモニタ１００の画面上に、テストパターンＴを表示させる機能をもった構成要素である。図示の例では、正方形の領域をもったテストパターンＴが表示されているが、表示されるテストパターンＴの大きさや形状は、特に限定されるものではない。ただ、後述するように、オペレータの目視による比較作業を行う上では、用いる基準体Ｒとほぼ同一の形状および大きさをもったテストパターンＴを表示するのが好ましい。これは、人間の目の特性として、同一の色であっても、提示される面積の大小によって、感覚的に認識される色に変動が生じるためである。
【００２７】
一方、階調値格納手段２２０には、三原色ＲＧＢの階調値の組み合わせが格納されている。たとえば、三原色ＲＧＢの階調値が、０〜２５５の範囲をとる８ビットのデータで表現されていたとすると、階調値格納手段２２０には、Ｒ＝２５５，Ｇ＝２００，Ｂ＝２３４のような階調値が格納されることになる。テストパターン表示手段２１０は、この階調値格納手段２２０に格納されている三原色ＲＧＢの階調値の組み合わせに基づいて、テストパターンＴの表示を行う。すなわち、テストパターンＴは、その全領域にわたって、均一の色をもったパターンであるが、その色は、階調値格納手段２２０内に格納されている三原色ＲＧＢの階調値に基づいて決定されることになる。上述の例のように、階調値格納手段２２０内に、Ｒ＝２５５，Ｇ＝２００，Ｂ＝２３４という階調値が格納されていた場合、テストパターンＴの全領域が、この階調値に対応する色で表示されることになる。もちろん、同じ階調値Ｒ＝２５５，Ｇ＝２００，Ｂ＝２３４を与えても、テストパターンＴとして表示される実際の物理的な色は、個々のモニタごとに異なる。
【００２８】
階調値変動手段２４０は、階調値格納手段２２０内に格納されている階調値を、予め定められた所定の規則に従って時間とともに変動させる変動操作を行う機能を有している。この変動操作の具体的な内容については後に詳述するが、この変動操作により、階調値格納手段２２０内の階調値は時々刻々と変化することになり、当然、カラーモニタ１００の画面上に表示されるテストパターンＴの色も時々刻々と変化することになる。オペレータは、この時々刻々と変化するテストパターンＴの色と基準体Ｒの色とを比較する作業を行うことになる。
【００２９】
比較結果入力手段２３０は、階調値変動手段２４０による変動操作が行われている状態において、カラーモニタ１００の画面上に表示されたテストパターンＴを目視するオペレータから、基準体Ｒの色とテストパターンＴの色とを比較対象とする比較結果を入力する機能を果たす。そして、オペレータから、比較対象となる２つの色が一致した旨の比較結果が入力されると、測定結果出力手段２５０に対して一致信号を与える。
【００３０】
測定結果出力手段２５０は、比較結果入力手段２３０から一致信号が与えられた時点で（すなわち、オペレータが、比較対象となる２つの色が一致した旨の比較結果を入力した時点で）、階調値格納手段２２０に格納されている三原色ＲＧＢの階調値の組み合わせ（たとえば、Ｒｗ，Ｇｗ，Ｂｗ）を、カラーモニタ１００の現照明環境下における基準体Ｒを基準とした白色色度を示す測定結果として出力する。
【００３１】
結局、測定結果出力手段２５０から出力された階調値Ｒｗ，Ｇｗ，Ｂｗは、測定対象となるカラーモニタ１００に、当該階調値を与えると、現在の照明環境の下において基準体Ｒと同一色として観測される色表示が行われることを示している。たとえば、Ｒｗ＝２５５，Ｇｗ＝２０５，Ｂｗ＝１８０という結果が出力されたとすれば、このカラーモニタ１００の表示画面上に、現在の照明環境下で、基準体Ｒと同等の白色を表示させるためには、Ｒ＝２５５，Ｇ＝２０５，Ｂ＝１８０なる階調値の組み合わせを与えればよいことがわかる。もちろん、測定結果として得られる階調値Ｒｗ，Ｇｗ，Ｂｗの具体的な値は、個々の照明環境下に設置されたカラーモニタごとに異なるが、少なくとも、個々のカラーモニタに対して、個々の測定結果として得られた階調値Ｒｗ，Ｇｗ，Ｂｗを与えれば、その照明環境下で観察した基準体Ｒと同等の白色が得られることになる。
【００３２】
したがって、本発明に係る白色色度測定装置による測定結果は、多数のスタッフの分業により商用印刷物を作成するＤＴＰ処理を行うような場合に有用である。個々のスタッフは、それぞれ独自の照明環境下で、それぞれ固有の特性をもったカラーモニタを利用することになるが、全スタッフがそれぞれ共通の基準体Ｒを使って、本発明に係る白色色度測定装置２００による測定を行い、得られた白色色度のプロファイルデータを各自のパソコンに組み込んで補正を行うようにすれば、いずれのスタッフも、室内照明が蛍光灯か電球か、室内の壁紙が何色か、太陽光が差し込むか否か、などの条件に左右されることなしに、目視の感覚上では、同一の白色を基準としたカラー画像を各自のモニタ上で見ることができるようになる。
【００３３】
もちろん、測定時に異なる白色特性をもった基準体Ｒを用いて得られたプロファイルデータでは、このような統一性を得ることはできないが、たとえば、硫酸バリウムからなる完全拡散板を標準の基準体Ｒとして用いる、というような取り決めをしておけば、必ずしも物理的に同一の物体を基準体として用いなくても、かなり広い統一性をもったプロファイルデータを得ることができるようになる。
【００３４】
続いて、階調値変動手段２４０による具体的な変動操作と、比較結果入力手段２３０に対する比較結果の具体的な入力方法について説明する。前述のとおり、階調値変動手段２４０は、階調値格納手段２２０内に格納されている階調値を、予め定められた所定の規則に従って、時間とともに変動させる変動操作を行う構成要素であるが、実用上は、複数の原色の階調値を同時に変動させるのではなく、三原色ＲＧＢのうちの１つを特定色として選択して、一度に１つの特定色についての階調値を変動させるようにした方が、オペレータの比較作業も容易になる。そうすれば、オペレータは、三原色ＲＧＢのそれぞれについて、基準体Ｒの色と一致をとるための最適な階調値を別個独立して決定することができるようになる。
【００３５】
図２は、このような作業を行うために用いる操作パネルの一例を示す平面図である。ここで、ボタン１１〜１３は、三原色Ｒ，Ｇ，Ｂそれぞれについての変動開始ボタンであり、ボタン１４は、三原色に共通の変動停止ボタンであり、ボタン１５は、一致ボタンである。ここで、変動開始ボタン１１〜１３および変動停止ボタン１４は、オペレータが階調値変動手段２４０に対して変動指示を与えるために利用されるボタンであり、一致ボタン１５は、オペレータが比較結果入力手段２３０に対して一致を示す比較結果を入力するために利用されるボタンである。これらのボタンは、カラーモニタ１００の表示画面上に、テストパターンＴとともに表示され、マウスポインタなどでクリックすることにより押すことができる。
【００３６】
オペレータが、変動開始ボタン１１をクリックすると、階調値変動手段２４０は、このオペレータからの変動指示に応じて、階調値格納手段２２０内に格納されている階調値Ｒを変動させる変動操作を開始する。具体的には、階調値Ｒに対して、所定周期で所定の変動量を加えるもしくは減じる変動操作が開始されることになる。たとえば、階調値格納手段２２０内に格納されている階調値Ｒの初期値がＲ＝１００であり、所定周期が１秒であり、変動量が５であった場合、変動開始ボタン１１をクリックすることにより、Ｒ＝１０５，１１０，１１５…と１秒おきに変化してゆく。当然、カラーモニタ１００上のテストパターンＴの色合いも徐々に変化してゆくことになる。変動停止ボタン１４は、このような変動操作を停止させるためのボタンであり、階調値変動手段２４０に対して、変動操作を停止させる指示を与えることができる。
【００３７】
同様に、変動開始ボタン１２は、階調値変動手段２４０に対して、階調値Ｇを変動させる変動操作を開始させる指示を与えるボタンであり、変動開始ボタン１３は、階調値変動手段２４０に対して、階調値Ｂを変動させる変動操作を開始させる指示を与えるボタンである。
【００３８】
なお、このような階調値の変動操作は、０〜２５５の階調値の範囲内で階調値を循環変動もしくは往復変動させることにより、変動停止ボタン１４がクリックされるまで、永遠に続行されるようにしておく。図３は、この循環変動と往復変動とを説明する図である。図示の例は、最小階調値０〜最大階調値２５５までの範囲を変動範囲Ｌとして設定したものである。
【００３９】
循環変動による変動操作は、図３（１）  に示すように、変動量を加算する変動操作により得られる階調値が変動範囲Ｌの最大階調値２５５を上回ってしまう場合には、変動範囲Ｌの最小階調値０側から計数する循環処理を行い、逆に、変動量を減算する変動操作により得られる階調値が変動範囲Ｌの最小階調値０を下回ってしまう場合には、最大階調値２５５側から計数する循環処理を行うというものである。たとえば、変動量Ｓ＝５を加算する変動操作により、階調値が……２４５，２５０と増加してゆき２５５まで達したとすると、次に５を加算すると２６０になってしまうが、この場合には、２５６を減じて、次の階調値を４とし、９，１４，１９，…と循環させればよい。変動量Ｓ＝５を減算する場合は、逆に、…１９、１４、９、４、２５５、２５０…と循環させればよい。
【００４０】
一方、往復変動による変動操作は、図３（２）  に示すように、変動量を加算する変動操作により得られる階調値が変動範囲Ｌの最大階調値２５５を上回ってしまう場合には、この最大階調値２５５側から変動量を減算する変動操作に切り換える折り返し処理を行い、逆に、変動量を減算する変動操作により得られる階調値が変動範囲Ｌの最小階調値０を下回ってしまう場合には、この最小階調値０側から変動量を加算する変動操作に切り換える折り返し処理を行うというものである。たとえば、変動量Ｓ＝５を加算する変動操作により、階調値が……２４５，２５０と増加してゆき２５５まで達したとすると、次に５を加算すると２６０になってしまうが、この場合には、２５５に達した時点で変動量５を減算するように転じて、次の階調値を２５０，２４５，２４０，…とするような折り返し処理を行えばよい。そして、階調値が１５，１０，５，０まで到達したら、再び、変動量５を加算するように転じて、５，１０，１５，…のように折り返せばよい。
【００４１】
図２に示す変動開始ボタン１１，１２，１３のいずれかがクリックされた場合、該当する原色の階調値が、０〜２５５の変動範囲を循環変動もしくは往復変動することになるので、オペレータは、テストパターンＴが一定周期で繰り返し変動するリズムを把握することができるようになる。このようなリズムを把握することができれば、テストパターンＴの色と基準体Ｒの色とが最も近くなった時点で、変動停止ボタン１４をクリックする操作が比較的容易に行えるようになろう。
【００４２】
なお、この実施形態の場合、階調値の変動操作は、常に、三原色ＲＧＢのいずれか１つの特定色の階調値のみを変動させる操作として行われるので、変動開始ボタン１１，１２，１３のいずれかをクリックして、特定色の階調値の変動操作が行われた後は、変動停止ボタン１４をクリックして、当該特定色に関する変動操作を停止した後でなければ、別な色の変動開始ボタンが機能しないようなしくみにするか、あるいは、第１の特定色に関する変動操作が行われている最中に、第２の特定色についての変動開始ボタンがクリックされたときには、第１の特定色についての変動操作を自動的に停止した上で、第２の特定色についての変動操作を開始するようなしくみにしておくのが好ましい。
【００４３】
このように、階調値変動手段２４０に、オペレータから与えられる変動指示に応じて、所定の原色の階調値に対して所定周期で所定の変動量を加えるもしくは減じる変動操作を開始および停止する機能をもたせておけば、オペレータは、必要に応じて、三原色ＲＧＢのうちの所望の原色に対する変動操作を開始させたり停止させたりする指示を与えることができ、テストパターンＴの色を基準体Ｒの色に近づける作業を行うことができる。そして、最終的に、この比較対象が一致したと認識できる状態になったら、一致ボタン１５をクリックすればよい。
【００４４】
なお、本願において、「色が一致」あるいは「色が同じ」とは、必ずしも完全に２つの色が一致したとの認識が得られる状態を言うものではなく、一方の色を変動させた状態において、両者が最も近くなったとの認識が得られる状態も意味するものである。したがって、オペレータは、色が変動中のテストパターンＴと基準体Ｒとを見比べながら、両者の色合いが最も近くなったと感じた瞬間に、一致ボタン１５をクリックする操作を行えばよい。この一致ボタン１５がクリックされると、比較結果入力手段２３０に対して、比較対象が一致した旨の比較結果が入力されることになり、比較結果入力手段２３０から測定結果出力手段２５０に対して、一致信号が与えられる。測定結果出力手段２５０が、この時点で、階調値格納手段２２０内に格納されている三原色ＲＧＢの階調値Ｒｗ，Ｇｗ，Ｂｗを測定結果として出力する処理を行うことは、既に述べたとおりである。
【００４５】
ただ、実用上は、図２に示すような操作パネルを用いて、三原色ＲＧＢの各階調値をそれぞれ変動させる形態は、オペレータにとって必ずしも操作性のよいものではない。その理由は、変動対象となるパラメータが、原色Ｒ，Ｇ，Ｂという３通りになるためである。実際、この３通りのパラメータを調整して、テストパターンＴの色を基準体Ｒの色に一致させようとする作業を行うには、かなりの熟練を要する。一般的なオペレータは、両者が一致していないことは認識できても、どの原色の階調値をどのように変えれば、両者が一致するようになるのか、ということを把握することは困難である。
【００４６】
そこで、実用上は、いずれか１つの原色の階調値を最大階調値に固定し、残りの２つの原色の階調値のみを変動させるような変動操作を行うようにするのが好ましい。そもそも白色は、理論的には、各原色の発光輝度を最大にすることにより得られる色であるので、三原色ＲＧＢのうちの少なくとも１つの原色の階調値は、最大階調値に設定するのが好ましい。したがって、１つの原色の階調値が常に最大階調値となるように固定しても、何ら支障は生じない。
【００４７】
本願発明者は、多数のメーカーから市販されている多種類のカラーモニタの白色特性を種々の照明環境で調べたところ、ある共通した傾向があることを発見した。それは、いずれのケースも、三原色ＲＧＢのそれぞれを最大階調値にした場合（すなわち、Ｒ＝２５５，Ｇ＝２５５，Ｂ＝２５５なる階調値を与えた場合）、画面上に表示される色は、本来の白色よりもやや緑色がかるか、やや青色がかる傾向にあり、決して赤っぽく観察されることはない、という事実である。別言すれば、いずれのケースでも、白色を表示させるためには、Ｒ＝２５５，Ｇ＝２５５，Ｂ＝２５５の状態から、原色Ｇの階調値を若干減少させるか、あるいは原色Ｂの階調値を若干減少させればよいことになる。
【００４８】
このような事実を踏まえると、実用上は、三原色ＲＧＢのうちの原色Ｒについては、常に最大階調値Ｒ＝２５５に固定した状態とし、原色Ｇおよび原色Ｂについてのみ階調値の変動操作を行うようにすれば合理的である。図４は、このような観点に立った操作パネルの一例を示す平面図である。この操作パネルには、スタートボタン２１と、２つの一致ボタン２２，２３とが設けられているだけであり、オペレータは、三原色ＲＧＢという概念をもつ必要はない。各ボタンの脇には、それぞれ説明文が表示されており、オペレータは、この説明文に従って、ボタンをクリックする操作を行えばよい。
【００４９】
まず、オペレータは、「ステップ０：測定を開始する時に押して下さい」なる説明文に従って、スタートボタン２１をクリックする。すると、原色Ｇについての変動操作が開始する。このとき、原色ＲとＢの階調値は固定のままである。オペレータは、この変動操作中、テストパターンＴを見ながら、基準体Ｒと同じ色になったと認識した時点で、「ステップ１：色が同じになったら押してください」なる説明文に従って、一致ボタン２２をクリックする。すると、今度は、原色Ｂについての変動操作が開始する。このとき、原色ＲとＧの階調値は固定のままである。すなわち、一致ボタン２２をクリックした時点で、原色Ｇについての変動操作は停止し、停止時の階調値をそのまま維持することになる。オペレータは、原色Ｂについての変動操作中、テストパターンＴを見ながら、基準体Ｒと同じ色になったと認識した時点で、「ステップ２：色が同じになったら押してください」なる説明文に従って、一致ボタン２３をクリックする。
【００５０】
以上の操作で、テストパターンＴの色と基準体Ｒの色とを一致させる上での、原色Ｇについての最適階調値Ｇｗと原色Ｂについての最適階調値Ｂｗとが、オペレータのボタン操作により決定する。このとき、原色Ｒは最大階調値Ｒ＝２５５に固定されたままであり、原色Ｒについての最適階調値は、常にＲｗ＝２５５になる。
【００５１】
このように、この図４に示す操作パネルを用いた例では、階調値変動手段２４０は、変動対象となる特定の原色の階調値に対して所定周期で所定の変動量を加えるもしくは減じる変動操作を行うとともに、比較結果入力手段２３０に入力された比較結果に応じて、変動対象となる特定の原色を切り替える処理を行っていることになる。すなわち、一致ボタン２２は、テストパターンＴの色と基準体Ｒの色とが一致した（あるいは近づいた）旨の比較結果を入力するボタンであるが、原色Ｇについての変動操作から原色Ｂについての変動操作に切り替える指示を与えるボタンとしても機能していることになる。
【００５２】
結局、図４に示す操作パネルを用いて測定を行うことができるようにするためには、階調値変動手段２４０に、原色Ｇの階調値に対して所定周期で所定の変動量を加えるもしくは減じる緑色変動操作と、原色Ｂの階調値に対して所定周期で所定の変動量を加えるもしくは減じる青色変動操作と、を選択的に行う機能をもたせておくようにし、比較結果入力手段２３０には、階調値変動手段２４０が緑色変動操作を行っている状態において、基準体Ｒの色とテストパターンＴの色とが最も近似した旨を示す緑色近似信号と、階調値変動手段２４０が青色変動操作を行っている状態において、基準体Ｒの色とテストパターンＴの色とが最も近似した旨を示す青色近似信号と、をオペレータから入力する機能をもたせておくようにすればよい。そして、比較結果入力手段２３０に、青色近似信号と緑色近似信号との双方が入力されたときに、比較対象が一致した旨の比較結果が入力されたものとして取り扱い、測定結果出力手段２５０に対して一致信号を与えるようにすればよい。
【００５３】
図５は、図４に示す操作パネルを用いた測定手順を示す流れ図である。まず、ステップＳ１１において、各原色の階調値が初期値に設定される。この例では、原色Ｒの初期値は２５５となっているが、原色Ｇの初期値Ｇ０および原色Ｂの初期値Ｂ０は、任意の値でかまわない。続いて、ステップＳ１２において、スタートボタン２１が押されたか否かが検知される。スタートボタン２１が押されると、ステップＳ１３において、緑色変動操作が実行される。すなわち、原色Ｇの階調値が、所定の変動量だけ増減されることになる。このとき、必要に応じて、循環処理あるいは折り返し処理が行われる。そして、ステップＳ１４では、一致ボタン２２が押されたか否かが検知され、一致ボタン２２が押されるまで、ステップＳ１３の緑色変動操作が繰り返し実行される。なお、このステップＳ１３，Ｓ１４のループ処理は、たとえば、１秒周期など、所定の周期で実行されるような設定がなされる。
【００５４】
やがて、一致ボタン２２が押されると、ステップＳ１５において、青色変動操作が実行される。すなわち、一致ボタン２２が押された時点で、比較結果入力手段２３０には、緑色近似信号が与えられることになり、これまで行われていた緑色変動操作は停止され、原色Ｇの階調値はその時点の値に固定される。そして、これまで固定されていた原色Ｂの階調値に対する変動操作が開始する。すなわち、原色Ｂの階調値が、所定の変動量だけ増減されることになる。このとき、必要に応じて、循環処理あるいは折り返し処理が行われる。そして、ステップＳ１６では、一致ボタン２３が押されたか否かが検知され、一致ボタン２３が押されるまで、ステップＳ１５の青色変動操作が繰り返し実行される。このステップＳ１５，Ｓ１６のループ処理も、たとえば、１秒周期など、所定の周期で実行されるような設定がなされる。
【００５５】
こうして、一致ボタン２３が押されると、ステップＳ１７が実行される。すなわち、一致ボタン２３が押された時点で、比較結果入力手段２３０には、青色近似信号が与えられることになり、これまで行われていた青色変動操作は停止され、原色Ｂの階調値はその時点の値に固定される。そして、比較結果入力手段２３０から測定結果出力手段２５０に対して、一致信号が与えられる。この一致信号を受けた測定結果出力手段２５０は、その時点で階調値格納手段２２０に格納されていた原色ＲＧＢの各階調値を、測定結果として出力する処理を行う。
【００５６】
この図５の流れ図に示す測定手順では、オペレータは、ステップＳ１４における一致ボタン２２のクリックにより原色Ｇの階調値を定め、ステップＳ１６における一致ボタン２３のクリックにより原色Ｂの階調値を定めることになり、これらのステップで定まった階調値Ｇｗ，Ｂｗと、始めから固定されていた階調値Ｒｗ（＝２５５）とが、測定結果として出力されることになる。このような方法でも、各色の変動操作中は、階調値が循環変動もしくは往復変動するので、オペレータは、最も色が近くなった時点で一致ボタンのクリックを行うことができ、ある程度正確に最適な階調値を定めることが可能である。
【００５７】
ただ、より実用的な運用を考慮すると、原色Ｇ，Ｂの階調値をそれぞれ１回のクリック操作で決定してしまうよりは、オペレータが最終決定を行う際に、何度かチャンスを与えるようにするのが好ましい。図６の流れ図に示す測定手順は、このような点を考慮した実施形態を示すものである。この実施形態では、原色Ｒの階調値を最大階調値２５５に固定する点は変わりないが、原色Ｇ，Ｂの階調値については、オペレータの複数回のクリック操作で決定することになる。
【００５８】
まず、ステップＳ２１において、各原色の階調値が初期値に設定される。やはり、原色Ｒの初期値は２５５となっているが、原色Ｇの初期値Ｇ０および原色Ｂの初期値Ｂ０は、任意の値でかまわない。ここでは、説明の便宜上、Ｇ０＝２００，Ｂ０＝２００に設定したものとしよう。また、このステップＳ２１では、変動操作の変動量Ｓの初期値Ｓ０および変動範囲Ｌの初期値Ｌ０も設定される。ここでは、Ｓ０＝１０，Ｌ０＝０〜２５５に設定されたものとしよう。
【００５９】
続いて、ステップＳ２２において、マウスクリックが行われたか否かが検知される。この実施形態では、これまでの実施形態のように複数のボタンを表示することはせず、単一のボタンだけを画面上に表示するようにしている。いわば、この単一のボタンは、この測定手順を次のステップに移行させるためのステップ移行ボタンとしての役割を果たすことになる。したがって、オペレータは、この単一のボタンをマウスなどでクリックする操作を行うだけでよく、ボタンを選択する作業は不要である。また、特定のボタンを全く表示させずに、画面上のどの位置でマウスクリックを行ってもクリック操作が行われたものとして認識するようにしてもかまわない。もちろん、オペレータの操作は、必ずしもマウスクリックに限定されるものではなく、たとえば、キーボードのスペースキーなどを押す操作を、マウスクリック操作の代わりに利用してもかまわない。
【００６０】
さて、ステップＳ２２で、クリックが検出されると、ステップＳ２３において、緑色変動操作が実行される。すなわち、原色Ｇの階調値が、その時点での変動量Ｓの値だけ増減されることになる。このとき、必要に応じて、循環処理あるいは折り返し処理が行われるが、この循環処理あるいは折り返し処理の基準となる変動範囲Ｌは、その時点での設定値ということになる。ここでは説明の便宜上、常に、変動量Ｓだけ増加させる変動操作を行うとともに、変動範囲Ｌを越えてしまう場合には、常に循環処理を行うことにより対処する例を述べよう。上述の例では、変動量Ｓは初期値Ｓ０＝１０に設定されており、変動範囲Ｌも初期値Ｌ０＝０〜２５５に設定されているので、ステップＳ２３では、まず、原色Ｇの階調値が、初期値２００から２１０に更新されることになり、最大階調値２５５を越えるまで、１０ずつ増加させる更新処理が続けられることになる。
【００６１】
こうして、ステップＳ２４において、クリックの検出が行われるまで、ステップＳ２３，Ｓ２４をループする処理が繰り返し実行され、原色Ｇの階調値について、２２０，２３０，２４０，２５０，…と変動量Ｓ＝１０ずつ増加させる更新が行われる。そして、次の段階で階調値２６０に更新されると、変動範囲Ｌの最大階調値２５５を上回わることになるので、循環処理を行うために２５６を減じることにより、新たな階調値を４に設定する処理が行われ、以後、１４，２４，３４，…と変動量Ｓ＝１０ずつ増加させる更新が行われる。なお、このとき、原色Ｒ，Ｂは、それぞれＲ＝２５５，Ｂ＝２００に固定されたままである。
【００６２】
このような更新処理を、たとえば、１秒周期で行うとすれば、原色Ｇの階調値は、約２５秒で一巡することになり、オペレータは、テストパターンＴの色合いが約２５秒周期で変動する様子を観察することができる。そして、テストパターンＴの色が基準体Ｒの色に最も近いと感じた時点で、クリック操作を行う。ここでは、一例として、原色Ｇ＝１９３のときに、オペレータによるクリック操作が行われたものとして、以下の説明を続けることにする。
【００６３】
ステップＳ２４で、クリックが検出されると、ステップＳ２５において、青色変動操作が実行される。このステップＳ２４におけるクリック操作は、比較結果入力手段２３０に対して緑色近似信号を入力するとともに、階調値変動手段２４０に対して、変動対象となる原色を切り替える指示を与える意味をもつ。これにより、原色Ｇの変動操作は停止し、原色Ｇの階調値は、Ｇ＝１９３の状態を維持することになる。そして、今度は、原色Ｂの階調値が、変動量Ｓ＝１０の値だけ増加される変動操作が行われる。このとき、他の原色は、Ｒ＝２５５、Ｇ＝１９３に固定されたままである。
【００６４】
こうして、ステップＳ２６において、次のクリックの検出が行われるまで、ステップＳ２５，Ｓ２６をループする処理が繰り返し実行され、原色Ｂの階調値について、２１０，２２０，２３０，２４０，２５０，４，１４，２４…と変動量Ｓ＝１０ずつ循環変動により増加させる更新が継続される。オペレータは、再び、テストパターンＴの色が基準体Ｒの色に最も近いと感じた時点で、クリック操作を行う。ここでは、一例として、原色Ｂ＝２３１のときに、オペレータによるクリック操作が行われたものとして、以下の説明を続けることにする。この時点で、階調値格納手段２２０内に格納されている各原色の階調値は、Ｒ＝２５５，Ｇ＝１９３，Ｂ＝２３１である。
【００６５】
ステップＳ２６で、クリックが検出されると、ステップＳ２７へと進むことになる。このステップＳ２６におけるクリック操作は、比較結果入力手段２３０に対して青色近似信号を入力するとともに、階調値変動手段２４０に対して、変動対象となる原色を切り替える指示を与える意味をもつ。すなわち、ステップＳ２７，Ｓ２８を経て、再びステップＳ２３からの処理が実行されることになり、原色Ｂの変動操作は停止し、原色Ｇの変動操作が再開される。ただし、この二巡目の手順では、変動量Ｓおよび変動範囲Ｌが更新されることになる。具体的には、ステップＳ２８において、変動量Ｓおよび変動範囲Ｌを、ともに減少させる更新処理が実行される。ここでは、二巡目については、変動量Ｓ＝３、変動範囲Ｌ＝±３０というような更新が行われたものとしよう。なお、Ｌ＝±３０なる変動範囲は、現時点での階調値を中心として、上下に３０の幅をもった範囲を意味する。
【００６６】
さて、二巡目のステップＳ２３，Ｓ２４のループでは、原色Ｇの階調値に対して、新たな変動量Ｓ＝３ずつ増加する更新が行われる。したがって、上述の例の場合、Ｇ＝１９３，１９６，１９９，２０２…というような更新が行われる。ただし、変動範囲Ｌ＝±３０という新たな設定となっているため、具体的な変動範囲は、原色Ｇの二巡目当初の階調値Ｇ＝１９３を中心として±３０の幅となり、１６３〜２２３という範囲になる。結局、二巡目では、この１６３〜２２３という変動範囲内で、３刻みで原色Ｇの階調値が循環変動することになる。
【００６７】
同様に、二巡目のステップＳ２５，Ｓ２６のループでは、原色Ｂの階調値に対して、新たな変動量Ｓ＝３ずつ増加する更新が行われる。したがって、上述の例の場合、Ｇ＝２３１，２３４，２３７，２４０…というような更新が行われる。ただし、変動範囲Ｌ＝±３０という新たな設定となっているため、具体的な変動範囲は、原色Ｂの二巡目当初の階調値Ｇ＝２３１を中心として±３０の幅となり、２０１〜２６１（実際には、循環変動により、２５６〜２６１の部分については、０〜５に置き換わる）という範囲になり、この変動範囲内で、３刻みで原色Ｂの階調値が循環変動することになる。
【００６８】
このような処理が、ステップＳ２７において変動量Ｓが規定値に達したと判断されるまで、繰り返し実行される。たとえば、変動量Ｓ＝１を規定値に設定しておけば、変動量Ｓが１に達するまで、ステップＳ２８における更新が行われ、ステップＳ２３〜Ｓ２６の処理が繰り返されることになる。
【００６９】
ステップＳ２８における更新幅は、変動量Ｓおよび変動範囲Ｌが徐々に減少するような設定であれば、どのような設定を行ってもかまわないが、具体的には、たとえば、変動量Ｓについては、「１０」→「３」→「１」のように更新値を定めておき、変動範囲Ｌについては、「全範囲（０〜２５５）」→「±３０」→「±７」のように更新値を定めておけばよい。この場合、一巡目は、Ｓ＝１０，Ｌ＝０〜２５５なる設定で処理が行われ、二巡目は、Ｓ＝３，Ｌ＝±３０なる設定で処理が行われ、三巡目は、Ｓ＝１，Ｌ＝±７なる設定で処理が行われることになり、三巡目が完了したときに、ステップＳ２７において、Ｓが規定値に達したと判断され、ステップＳ２９へと進むことになる。
【００７０】
こうして、ステップＳ２７でＳが規定値に達したと判断された時点で、比較結果入力手段２３０から階調値変動手段２４０に対して一致信号が与えられることになる。そして、ステップＳ２９に示すとおり、測定結果出力手段２５０によって、その時点で階調値格納手段２２０内に格納されている三原色ＲＧＢの階調値が、測定結果Ｒｗ，Ｇｗ，Ｂｗとして出力される処理が実行される。
【００７１】
この図６の流れ図に示すような測定手順を実行するためには、階調値変動手段２４０に、緑色変動操作を行っている状態において緑色近似信号が入力された時点で青色変動操作を開始し、青色変動操作を行っている状態において青色近似信号が入力された時点で緑色変動操作を開始し、緑色変動操作と青色変動操作とを交互に繰り返し実行する機能をもたせるようにし、かつ、階調値の変動量Ｓおよび変動範囲Ｌを徐々に減少させながら繰り返し実行する機能をもたせておくようにすればよい。また、比較結果入力手段２３０には、変動量Ｓが所定の規定値に達した後に、緑色近似信号と青色近似信号との双方の入力が完了した場合に、比較対象が一致した旨の比較結果が入力されたものとして取り扱い、一致信号を出力する機能をもたせておくようにすればよい。
【００７２】
このように、図６の流れ図に示す測定処理では、階調値の変動量Ｓおよび変動範囲Ｌを徐々に減少させながら、オペレータに色一致の認識入力を繰り返し実行させることができるため、図５の流れ図に示す測定処理に比べて、より精度の高い測定結果を得ることが可能になる。すなわち、一巡目、二巡目、三巡目と繰り返してゆくうちに、原色Ｇ，Ｂの階調値が徐々に最適な値へと近づいてゆくことになる。また、階調値の変動量Ｓが、徐々に減少してゆくので、変動操作の刻み幅は、最初は粗く、徐々に細かくなってゆくことになり、しかも、変動範囲Ｌも徐々に狭まってゆくことになるので、階調値が徐々に最適値へと絞り込まれるようになり、効率良い測定操作が可能になる。
【００７３】
また、この測定処理では、オペレータ側から見た操作性も極めて高くなる。前述したように、オペレータの操作としては、単なるマウスクリックだけでよいので、テストパターンＴと基準体Ｒとを注視しながら作業を進めることができる。要するに、オペレータは、両方の色が最も近くなったと感じた瞬間に、マウスをクリックする作業を繰り返してゆくだけでよく、上述の例の場合、三巡の処理において、合計６回だけクリック操作を行えば、測定は自動的に完了することになる。なお、実用上は、クリック操作が行われるたびに、オペレータに対して、何らかの音を提示するか、何らかのメッセージを画面上に表示するようにして、６回の測定を繰り返し実行していることを認識させるとともに、各回の区切りが明確に把握できるようにするのが好ましい。
【００７４】
以上、図５および図６の流れ図を参照しながら、三原色ＲＧＢのうちの原色Ｒについては、常に最大階調値Ｒ＝２５５に固定した状態とし、原色Ｇおよび原色Ｂについてのみ階調値の変動操作を行う実施例を述べた。ここでは、続いて、別なアプローチに基づく実施例を述べておく。
【００７５】
ここで述べる別なアプローチは、赤の反対色が緑、黄の反対色が青、という人間の色に対する一般的な知覚に基づくものである。すなわち、人間の知覚によると、赤っぽいか緑っぽいか、というバランスが色の１つの尺度となっており、また、黄色っぽいか青っぽいか、というバランスが色のもう１つの尺度となっている。本願発明者は、このような人間の色に対する知覚を利用して、赤っぽいか緑っぽいかという観点からの白色認識作業と、黄色っぽいか青っぽいかという観点からの白色認識作業とを行うようにすれば、より人間の知覚に合致した測定作業が可能になることを見い出した。
【００７６】
すなわち、まず、テストパターンＴの表示色を、緑色の状態から徐々に緑色を薄めてゆき、白色を経てやがて薄い赤色に転じ、徐々に赤色を強めてゆく、というように変動させたり、あるいは、逆に、赤色の状態から徐々に赤色を薄めてゆき、白色を経てやがて薄い緑色に転じ、徐々に緑色を強めてゆく、というように変動させたりすれば、赤っぽくもなく緑っぽくもない、という赤と緑の中間点として、白色の認識が可能になる。ここでは、このような変動操作を赤／緑変動操作と呼ぶことにする。この赤／緑変動操作において、オペレータが白色と認識した色は、あくまでも赤／緑という反対色成分が中和した色としての意味をもつ。
【００７７】
一方、テストパターンＴの表示色を、黄色の状態から徐々に黄色を薄めてゆき、白色を経てやがて薄い青色に転じ、徐々に青色を強めてゆく、というように変動させたり、あるいは、逆に、青色の状態から徐々に青色を薄めてゆき、白色を経てやがて薄い黄色に転じ、徐々に黄色を強めてゆく、というように変動させたりすれば、黄色っぽくもなく青っぽくもない、という黄と青の中間点として、白色の認識が可能になる。ここでは、このような変動操作を黄／青変動操作と呼ぶことにする。この黄／青変動操作において、オペレータが白色と認識した色は、あくまでも黄／青という反対色成分が中和した色としての意味をもつ。
【００７８】
結局、テストパターンＴの表示色を、上述した赤／緑変動操作により変動させた状態で、オペレータから色が一致した旨の信号を入力し、更に、上述した黄／青変動操作により変動させた状態で、オペレータから色が一致した旨の信号を入力すれば、赤／緑という反対色成分と黄／青という反対色成分との双方について中和した色が得られることになり、人間の色に対する知覚に合致した精度の高い測定結果を得ることができる。
【００７９】
このようなアプローチをとる場合、図５および図６の流れ図に示す手順を若干修正すればよい。まず、図５のステップＳ１１では、三原色ＲＧＢの階調値をそれぞれ所定の初期値に設定する。この実施例では、原色Ｒも固定されることはなく、階調値の変動対象となる。ステップＳ１２において、スタートボタン２１が押されたことが検知されると、測定作業が開始する点は、前述の実施例と全く同様である。ただ、ステップＳ１３では、緑色変動操作の代わりに、上述した赤／緑変動操作が実施される。このため、ステップＳ１４において一致ボタン２２が押された場合、赤／緑という反対色成分のバランスに関する観点において、色の一致が得られたことになる。ここでは、このステップＳ１４における一致ボタン２２の操作により得られる信号を赤／緑近似信号と呼ぶことにする。
【００８０】
一方、ステップＳ１５では、青色変動操作の代わりに、上述した黄／青変動操作が実施される。このため、ステップＳ１６において一致ボタン２３が押された場合、黄／青という反対色成分のバランスに関する観点において、色の一致が得られたことになる。ここでは、このステップＳ１６における一致ボタン２３の操作により得られる信号を黄／青近似信号と呼ぶことにする。かくして、ステップＳ１４において赤／緑近似信号が得られ、ステップＳ１６において黄／青近似信号が得られたら、赤／緑という反対色成分のバランスに関しても、黄／青という反対色成分のバランスに関しても、色の一致が得られたことになるので、最終的に、ステップＳ１７において、その時点の三原色ＲＧＢの各階調値が測定結果として出力されることになる。
【００８１】
ステップＳ１３において、赤／緑変動操作を実施するには、階調値変動手段２４０に、原色Ｒの階調値に対して所定周期で所定の変動量を加えるもしくは減じるか、または、原色Ｇの階調値に対して所定周期で所定の変動量を加えるもしくは減じる変動を行う機能を設けておけばよい。赤／緑という反対色成分のバランスを調整するには、原色Ｒの階調値を増減してもよいし、原色Ｇの階調値を増減してもよい。両者は反対色であるため、両者のバランス調整を行う上では、原色Ｒの階調値を増加させる変動操作と原色Ｇの階調値を減少させる変動操作とは等価になり、同様に、原色Ｇの階調値を増加させる変動操作と原色Ｒの階調値を減少させる変動操作とは等価になる。
【００８２】
したがって、たとえば、原色Ｒの階調値を徐々に増加させていった結果、最大階調値にまで達してしまった場合（たとえば、Ｒ＝２５５）、今度は原色Ｇの階調値を徐々に減少させることにより、視覚的には、赤味を強め、緑味を弱めるという同一の調整方向への変動を継続させることも可能である。同様に、原色Ｒの階調値を徐々に減少させていった結果、最小階調値にまで達してしまった場合（たとえば、Ｒ＝０）、今度は原色Ｇの階調値を徐々に増加させることにより、視覚的には、緑味を強め、赤味を弱めるという同一の調整方向への変動を継続させることも可能である。
【００８３】
このように、赤／緑変動操作は、原理的には、原色Ｒの階調値を増減する方法によっても、原色Ｇの階調値を増減する方法によっても、実施することが可能であるが、実用上は、原色Ｒの階調値を変動させる操作と、原色Ｇの階調値を変動させる操作と、を交互に繰り返し実行するのが好ましい。たとえば、原色Ｒの階調値を徐々に増加させてゆき、最大階調値に達した場合（たとえば、Ｒ＝２５５）、今度は原色Ｇの階調値を徐々に減少させてゆく操作を行う。そして、原色Ｇの階調値が最小階調値に達した場合（たとえば、Ｇ＝０）、今度は、原色Ｒの階調値を徐々に減少させてゆき、原色Ｒの階調値が最小値に達した場合（たとえば、Ｒ＝０）、今後は、原色Ｇの階調値を徐々に増加させてゆく。そして、原色Ｇの階調値が最大階調値に達した場合（たとえば、Ｇ＝２５５）、今度は、原色Ｒの階調値を徐々に増加させてゆく。このように、原色Ｒの変動と原色Ｇの変動とを交互に行えば、オペレータには、赤味→緑味→赤味→緑味→と交互に赤っぽくなったり緑っぽくなったり周期的に変化するテストパターンを提示することができ、しかも各色の階調値を最大階調値から最小階調値までの全範囲で変動させることが可能になる。
【００８４】
一方、ステップＳ１５において、黄／青変動操作を実施するには、原理的には、階調値変動手段２４０に、原色Ｙの階調値に対して所定周期で所定の変動量を加えるもしくは減じるか、または、原色Ｂの階調値に対して所定周期で所定の変動量を加えるもしくは減じる変動を行う機能を設けておけばよい。黄／青という反対色成分のバランスを調整するには、原色Ｙの階調値を増減してもよいし、原色Ｂの階調値を増減してもよい。両者は反対色であるため、両者のバランス調整を行う上では、原色Ｙの階調値を増加させる変動操作と原色Ｂの階調値を減少させる変動操作とは等価になり、同様に、原色Ｂの階調値を増加させる変動操作と原色Ｙの階調値を減少させる変動操作とは等価になる。
【００８５】
しかしながら、実際には、カラーモニタの三原色はＲＧＢであり、原色Ｙの成分は含まれていないため、原色Ｙの階調値を直接増減させるような変動操作は行うことはできない。そこで、本実施例では、原色Ｙが、原色Ｒと原色Ｇとの混色として得られる点に着目し、原色Ｒと原色Ｇとの組み合わせを原色Ｙの代わりに用いることにより、上述した原理に基づく黄／青変動操作を実施するようにしている。
【００８６】
具体的には、階調値変動手段２４０に、原色Ｒの階調値および原色Ｇの階調値に対して所定周期で所定の同一変動量を同時に加えるもしくは減じるか、または、原色Ｂの階調値に対して所定周期で所定の変動量を同時に加えるもしくは減じる変動を行う機能を設けておけばよい。黄／青という反対色成分のバランスを調整するには、原色Ｒと原色Ｇの階調値を同時に同じ量だけ増減してもよいし（実質的に、原色Ｙの階調値を増減することと等価になる）、原色Ｂの階調値を増減してもよい。原色Ｙ（原色Ｒと原色Ｇとの混色）と原色Ｂは反対色であるため、両者のバランス調整を行う上では、原色ＲおよびＧの階調値を同時に同量だけ増加させる変動操作と原色Ｂの階調値を減少させる変動操作とは等価になり、同様に、原色Ｂの階調値を増加させる変動操作と原色ＲおよびＧの階調値を同時に同量だけ減少させる変動操作とは等価になる。
【００８７】
したがって、たとえば、原色ＲおよびＧの階調値を、（Ｒ＝２００，Ｇ＝１００）→（Ｒ＝２０５，Ｇ＝１０５）→（Ｒ＝２１０，Ｇ＝１１０）→（Ｒ＝２１５，Ｇ＝１１５）→……と、徐々に増加させていった結果、少なくともその一方が最大階調値にまで達してしまった場合（たとえば、Ｒ＝２５５，Ｇ＝１５５）、今度は原色Ｂの階調値を、たとえば、Ｂ＝１２０→１１５→１１０→１０５→……と、徐々に減少させることにより、視覚的には、黄味を強め、青味を弱めるという同一の調整方向への変動を継続させることが可能である。同様に、原色ＲおよびＧの階調値を、（Ｒ＝２００，Ｇ＝１００）→（Ｒ＝１９５，Ｇ＝９５）→（Ｒ＝１９０，Ｇ＝９０）→……と、徐々に減少させていった結果、少なくともその一方が最小階調値にまで達してしまった場合（たとえば、Ｒ＝１００，Ｇ＝０）、今度は原色Ｂの階調値を、たとえば、Ｂ＝１２０→１２５→１３０→１３５→……と、徐々に増加させることにより、視覚的には、青味を強め、黄味を弱めるという同一の調整方向への変動を継続させることが可能である。
【００８８】
このように、黄／青変動操作は、原理的には、原色ＲおよびＧの階調値を同時に同量だけ増減する方法によっても、原色Ｂの階調値を増減する方法によっても、実施することが可能であるが、実用上は、原色ＲおよびＧの階調値を同時に同量だけ変動させる操作と、原色Ｂの階調値を変動させる操作と、を交互に繰り返し実行するのが好ましい。たとえば、原色ＲおよびＧの階調値を同時に同量だけ徐々に増加させてゆき、いずれか一方が最大階調値に達した場合（たとえば、Ｒ＝２５５）、今度は原色Ｂの階調値を徐々に減少させてゆく操作を行う。そして、原色Ｂの階調値が最小階調値に達した場合（たとえば、Ｂ＝０）、今度は、原色ＲおよびＧの階調値を同時に同量だけ徐々に減少させてゆき、いずれか一方が最小値に達した場合（たとえば、Ｇ＝０）、今後は、原色Ｂの階調値を徐々に増加させてゆく。そして、原色Ｂの階調値が最大階調値に達した場合（たとえば、Ｂ＝２５５）、今度は、原色ＲおよびＧの階調値を同時に同量だけ徐々に増加させてゆく。このように、原色ＲおよびＧの変動と原色Ｂの変動とを交互に行えば、オペレータには、黄味→青味→黄味→青味→と交互に黄色っぽくなったり青っぽくなったり周期的に変化するテストパターンを提示することができ、しかも各色の階調値を最大階調値から最小階調値までの全範囲で変動させることが可能になる。
【００８９】
結局、この実施例では、比較結果入力手段２３０は、階調値変動手段２４０が赤／緑変動操作を行っている状態において、基準体Ｒの色とテストパターンＴの色とが最も近似した旨を示す赤／緑近似信号と、階調値変動手段２４０が黄／青変動操作を行っている状態において、基準体Ｒの色とテストパターンＴの色とが最も近似した旨を示す黄／青近似信号と、をオペレータから入力する機能を有し、赤／緑近似信号と黄／青近似信号との双方が入力されたときに、比較対象が一致した旨の比較結果が入力されたものとして取り扱うことになる。
【００９０】
もちろん、図６の流れ図に示す実施例においても、同様のアプローチをとることが可能である。すなわち、ステップＳ２１では、三原色ＲＧＢの階調値にそれぞれ所定の初期値を設定し、ステップＳ２３では、緑色変動操作の代わりに、上述した赤／緑変動操作を行うようにし、ステップＳ２４のクリック操作で、赤／緑近似信号を入力できるようにする。同様に、ステップＳ２５では、青色変動操作の代わりに、上述した黄／青変動操作を行うようにし、ステップＳ２６のクリック操作で、黄／青近似信号を入力できるようにする。結局、階調値変動手段２４０は、赤／緑変動操作を行っている状態（ステップＳ２３）において赤／緑近似信号が入力された時点（ステップＳ２４）で黄／青変動操作を開始し、黄／青変動操作を行っている状態（ステップＳ２５）において黄／青近似信号が入力された時点（ステップＳ２６）で赤／緑変動操作を開始し、赤／緑変動操作と黄／青変動操作とを交互に繰り返し実行し、かつ、階調値の変動量および変動範囲を徐々に減少させながら繰り返し実行することになる。また、比較結果入力手段２３０は、変動量が所定の規定値に達した後に、赤／緑近似信号と黄／青近似信号との双方の入力が完了した場合に、比較対象が一致した旨の比較結果が入力されたものとして取り扱うことになる。
【００９１】
なお、黄／青変動操作中に、図３に示す循環変動や往復変動を行う場合は、若干留意すべき事項がある。まず、循環変動を行う場合には、原色Ｒか原色Ｇかの少なくともいずれか一方の階調値が最大階調値を上回ってしまう場合に、原色Ｒの階調値か原色Ｇの階調値か、いずれか小さい方が最小階調値側へと循環し、かつ、両階調値の差が一定となるようにする処理を行うことになる。たとえば、０〜２５５の変動範囲が設定されている状態において、（Ｒ＝２００，Ｇ＝１００）→（Ｒ＝２０５，Ｇ＝１０５）→（Ｒ＝２１０，Ｇ＝１１０）→（Ｒ＝２１５，Ｇ＝１１５）→……と、徐々に増加させていった結果、（Ｒ＝２５５，Ｇ＝１５５）に到達してしまった場合、原色Ｒの階調値が最大階調値を上回ってしまうことになるので、小さい方の原色Ｇの階調値（Ｇ＝１５５）を最小階調値側へと循環させ、たとえば、Ｇ＝０に設定する。そして、もう一方の原色Ｒの階調値は、原色Ｇの階調値との差が一定となるように、Ｒ＝１００に設定すればよい。そうすれば、原色Ｒ，Ｇの階調値の差を常に１００に維持したまま、循環変動を行うことができる。同様に、原色Ｒか原色Ｇかの少なくともいずれか一方の階調値が最小階調値を下回ってしまう場合には、原色Ｒの階調値か原色Ｇの階調値か、いずれか大きい方が最大階調値側へと循環し、かつ、両階調値の差が一定となるようにする処理を行えばよい。
【００９２】
また、往復変動を行う場合には、原色Ｒか原色Ｇかの少なくともいずれか一方の階調値が最大階調値を上回ってしまう場合、原色Ｒの階調値と原色Ｇの階調値との双方について、変動量を減算する変動操作に切り換える折り返し処理を行えばよい。たとえば、０〜２５５の変動範囲が設定されている状態において、（Ｒ＝２００，Ｇ＝１００）→（Ｒ＝２０５，Ｇ＝１０５）→（Ｒ＝２１０，Ｇ＝１１０）→（Ｒ＝２１５，Ｇ＝１１５）→……と、徐々に増加させていった結果、（Ｒ＝２５５，Ｇ＝１５５）に到達してしまった場合、原色Ｒの階調値が最大階調値を上回ってしまうことになるので、今度は、（Ｒ＝２５０，Ｇ＝１５０）→（Ｒ＝２４５，Ｇ＝１４５）→（Ｒ＝２４０，Ｇ＝１４０）→……と、双方の階調値を減じる変動操作に切り換えればよい。そうすれば、原色Ｒ，Ｇの階調値の差を常に１００に維持したまま、往復変動を行うことができる。同様に、原色Ｒか原色Ｇかの少なくともいずれか一方の階調値が最小階調値を下回ってしまう場合には、原色Ｒの階調値と原色Ｇの階調値との双方について、変動量を加算する変動操作に切り換える折り返し処理を行えばよい。
【００９３】
【発明の効果】
以上のとおり、本発明に係るカラーモニタの白色色度測定装置によれば、個々のカラーモニタごとに、その設置場所の照明環境を考慮した白色色度を容易に測定することが可能になる。
【００９４】
【図面の簡単な説明】
【図１】本発明の基本的な実施形態に係るカラーモニタの白色色度測定装置の構成を示すブロック図である。
【図２】図１に示す白色色度測定装置による測定作業に利用する操作パネルの一例を示す平面図である。
【図３】特定色の階調値を変動させる際の循環変動の操作と往復変動の操作とを示す図である。
【図４】図１に示す白色色度測定装置による測定作業に利用する操作パネルの別な一例を示す平面図である。
【図５】図４に示す操作パネルを用いた測定手順を示す流れ図である。
【図６】本発明に係る白色色度測定装置における最も実用的な測定手順を示す流れ図である。
【符号の説明】
１１〜１３…変動開始ボタン
１４…変動停止ボタン
１５…一致ボタン
２１…スタートボタン
２２，２３…一致ボタン
１００…カラーモニタ
２００…白色色度測定装置
２１０…テストパターン表示手段
２２０…階調値格納手段
２３０…比較結果入力手段
２４０…階調値変動手段
２５０…測定結果出力手段
Ｒ…基準となる白色を示す基準体
Ｓ１１〜Ｓ２９…流れ図の各ステップ
Ｔ…テストパターン
【図１】
2005020144.tif 000003
【図２】
2005020144.tif 000004
【図３】
2005020144.tif 000005
【図４】
2005020144.tif 000006
【図５】
2005020144.tif 000007
【図６】
2005020144.tif 000008